(57)【要約】      （修正有）【課題】上り下りを確認し易く、階下から見える踏段のライザが意匠的に良好な照明として利用できるマンコンベアを提供する。【解決手段】乗降位置間に亘って設けられた主枠としてのトラスと、ライザ３２に光透過窓３９が形成され踏段３と、トラス内に踏段３の移動方向に沿って配設された蛍光管８を備え、ライザ３２の光透過窓３９を蛍光管８からの照明光が透過されて、階下から踏段３の進行方向を容易に確認できると共に、エスカレータ１の意匠性を向上した。【選択図】図２
2006131379.tif 000002
【特許請求の範囲】
【請求項１】
乗降位置間に亘って設けられる主枠と、
ライザに光透過部が形成されると共に、複数が無端状に連結されて前記主枠に沿って循環走行する踏段と、
前記主枠内に前記踏段の移動方向に沿って配設される光源と、
を備えることを特徴とするマンコンベア。
【請求項２】
前記光透過部を透過した光がオレンジ系の色であることを特徴とする請求項１記載のマンコンベア。
【請求項３】
前記光源は、前記主枠に、前記踏段の幅方向の中心線に対して対称をなす位置に配置されていることを特徴とする請求項１又は請求項２に記載のマンコンベア。
【請求項４】
前記光源は、点光源であることを特徴とする請求項１乃至請求項３のいずれか一項に記載のマンコンベア。
【請求項５】
前記光透過部は、前記ライザに開設された開口部が光透過板で閉塞されてなることを特徴とする請求項１乃至請求項４のいずれか一項に記載のマンコンベア。
【請求項６】
前記光透過部は、アクリル樹脂などの合成樹脂でなることを特徴とする請求項１乃至請求項５のいずれか一項に記載のマンコンベア。
【請求項７】
前記光透過部は、前記ライザの幅方向に長軸を有する実質的に楕円形状であることを特徴とする請求項１乃至請求項６のいずれか一項に記載のマンコンベア。
【請求項８】
前記光透過部は、前記ライザの幅方向の中心線を挟んで実質的に対称な位置に配置されていることを特徴とする請求項１乃至請求項７のいずれか一項に記載のマンコンベア。
【請求項９】
前記光源は、蛍光管、発光ダイオード、エレクトロルミネッセンス発光素子、冷陰極管のいずれか一つであることを特徴とする請求項１乃至請求項８のいずれか一項に記載のマンコンベア。
【請求項１０】
踏板とライザとを有し、複数が無端状に連結されてマンコンベアの主枠の長手方向に沿って循環走行される踏段であって、
前記ライザに光透過部が形成されていることを特徴とする踏段。
【発明の詳細な説明】
【技術分野】
【０００１】
本発明はマンコンベアおよび踏段に関し、さらに詳しくは、踏段の進行方向を明瞭に目視できると共に、装飾効果ならびに足元の照明効果を向上できるマンコンベアおよび踏段に関する。
【背景技術】
【０００２】
従来、マンコンベアとして、踏板上面の中央部に段差および照明窓を設けて利用者の利用効率の向上を図ったエスカレータが知られている（例えば、特許文献１参照。）。このエスカレータでは、踏板の照明窓を照明するために、エスカレータの乗り位置近傍のトラス内に照明用光源が配置されている。このエスカレータでは、踏板の中央部に段差を設けることにより、中央部に乗った利用者に違和感を生じさせて、左右のいずれかに移動することを促すようになっている。
【特許文献１】特開平８−８５６９１号公報（第１頁、図１）
【発明の開示】
【発明が解決しようとする課題】
【０００３】
しかしながら、上述のエスカレータの踏段を構成する踏板は、靴を載せるものであるため、土や埃などで照明窓が汚損され易く、照明窓が汚損されると照明効果が著しく低下するという問題点があった。しかも、上述のエスカレータでは、利用者を左右のいずれかに移動させる目的で踏板の中央部に搬送方向に沿って細長い照明窓を形成しているため、汚損により照明窓から出射される照明光を塞ぎやすい構造であった。
【０００４】
特に、利用者は、踏段の移動方向を目視して、上り用のエスカレータか下り用のエスカレータであるかを確認しているため、踏板中央部の細い照明窓では上り下りを認識させる効果に乏しいものであった。
【０００５】
そこで、本発明の目的は、上り下りを確認し易く、階下から見える踏段のライザが意匠的に良好な照明として利用できるマンコンベアおよび踏段を提供することにある。
【課題を解決するための手段】
【０００６】
本発明の第１の特徴は、マンコンベアであって、乗降位置間に亘って設けられたトラスと、ライザに光透過部が形成されると共に、複数が無端状に連結されて主枠に沿って循環走行する踏段と、主枠内に踏段の移動方向に沿って配設された光源と、を備えることを要旨とする。
【０００７】
本発明の第２の特徴は、踏板とライザとを有し、複数が無端状に連結されてマンコンベアの主枠の長手方向に沿って循環走行される踏段であって、ライザに光透過部が形成されていることを要旨とする。
【発明の効果】
【０００８】
本発明によれば、主枠内に配置された光源からの光を、踏段のライザに形成された光透過部を介して階下側から良好に目視することができるため、踏段の走行方向を容易に認識させることができる。
【０００９】
また、本発明によれば、階下側からマンコンベアを見たときに、ライザが光を照射しているため、意匠的効果を向上できる。
【００１０】
さらに、本発明によれば、踏板に乗客が乗ったときに、隣接して上側に位置する踏段のライザが光を照射する足元の照明効果を向上できる。
【発明を実施するための最良の形態】
【００１１】
以下、本発明の実施の形態に係るマンコンベアおよび踏段の詳細を図面に基づいて説明する。なお、本実施の形態では、マンコンベアとしてエスカレータを用いて説明する。
【００１２】
本実施の形態に係るエスカレータの構成の特徴は、乗降位置間に亘って設けられた主枠としてのトラス２と、ライザ３２に光透過部としての光透過窓３９が形成され踏段３と、トラス２内に踏段３の移動方向に沿って配設された光源とを備えるものである。
【００１３】
（エスカレータの概略構成）
エスカレータ１は、上階と下階とに亘って、主枠としてのトラス２（図２および図３参照。）が設けられている。このトラス２は、幅方向両側に設けられたガイドレールに案内、支持されて多数の踏段３が循環走行するようになっている。また、図１に示すように、エスカレータ１は、踏段３と同期して循環走行する手摺りベルト５と、この手摺りベルト５が案内走行される欄干６と、欄干６の下に位置するスカートガードパネル７などを備えている。図３に示すように、トラス２の幅方向に配置された梁２１には、光源としての蛍光管８がトラス２の長手方向に沿うように設けられている。なお、この蛍光管８は、複数がトラス２の長手方向に沿って連なるように配置されている。また、本実施の形態では、蛍光管８は、踏段３がトラス２の上側を走行するときに、後述するライザ３２の光透過窓３９を介してライザ３２の外側へ透過されるようになっている。
【００１４】
（トラスの構成）
トラス２は、トラス構造を有する主枠であり、長手方向の一端の上階機械室内に、図示しない駆動装置が設けられている。この駆動装置には、図示しない動力駆動チェーンが連動し、この動力駆動チェーンにより図示しない駆動スプロケットが駆動されるようになっている。また、トラス２の長手方向他端の下階機械室内には、図示しない従動スプロケットが設けられ、この従動スプロケットと駆動スプロケットとに無端状の踏段チェーンが巻き掛けられている。この踏段チェーンには、多数の踏段３が等ピッチで連結されている。
【００１５】
また、トラス２の両側部には、往路ガイドレール部１１、帰路ガイドレール部１２および反転ガイドレール部（図示省略する。）からなるガイドレールが設けられている。このガイドレールは、踏段３に設けられた前輪３７および後輪３８を案内、支持するようになっている。
【００１６】
上述したように、トラス２の幅方向に配置された梁２１には、梁２１の幅方向の中心線を挟んで線対称をなす位置に、蛍光管８がトラス２の長手方向に沿うように複数が連なるように設けられている。また、図３に示すように、蛍光管８の上方（乗客が乗り得る状態にある踏段３と蛍光管８との間）には、蛍光管８からの光を散乱させるように透過させる散乱板９が配されている。
【００１７】
（踏段の構成）
図４に示すように、踏段３は、乗客を乗せる踏板３１と、この踏板３１の端縁（基部と反対側の端縁）に所定角度をなすように設けられたライザ３２とを備えている。また、これら踏板３１とライザ３２の内側（裏側）には、少なくとも踏板３１とライザ３２の両側の端縁同士を結ぶように架設された補強フレーム３３や、ライザ３２の下部を保持する横フレーム３４などが設けられている。さらに、ライザ３２の内側には、補強フレーム３３の端部近傍から立ち上がる縦フレーム３５が設けられている。図６に示すように、この縦フレーム３５の上端（踏板３１に当接する部分）には、補強フレーム３３の基端部と架設された踏板フレーム３６が一体に形成されている。
【００１８】
ライザ３２の幅方向両側に位置する補強フレーム３３の前端部には、上述したガイドレールで案内される前輪３７が設けられている。また、踏板３１の幅方向両側に位置する補強フレーム３３の基端部にも、上述したガイドフレームで案内される後輪３８が設けられている。
【００１９】
ここで、ライザ３２の構造について図４〜図７を用いて説明する。なお、図７は、ライザ３２を高さ方向に短冊状に切断した要部を示す斜視図である。図４、図６および図７に示すように、ライザ３２は、幅方向と直交する高さ方向の断面において内側から外側へ膨出するように湾曲した板体である。図７に示すように、ライザ３２の表面には、高さ方向に沿って、複数のリブ３２Ａが形成されている。これらリブ３２Ａは、ライザ３２の幅方向に等間隔に形成されている。また、図６および図７に示すように、ライザ３２における踏板３１に近接する内側面には、踏板３１に係合させるための係合用突堤部３２Ｂがライザ３２の幅方向に沿って突設されている。また、ライザ３２における補強フレーム３３側の端縁内側には、縦フレーム３５に取り付けるための取付用突堤部３２Ｃが幅方向に沿って突設されている。
【００２０】
また、ライザ３２における幅方向の中心線（図示省略する。）を挟んで対称をなすように、それぞれ３つの光透過窓３９が形成されている。この光透過窓３９は、窓としての開口部に光透過板４０を組み付けて構成されている。図３〜図５に示すように、光透過窓３９は、ライザ３２の幅方向に長い長円形状（略楕円形状）に形成されている。図７に示すように、本実施の形態において、この光透過窓３９は、リブ３２Ａを残して形成されている。
【００２１】
上述した光透過板４０は、光透過性を有するアクリル樹脂でなり、トラス２側に設けられた蛍光管８で放射された白色光をオレンジ系の光に変えるための顔料が含有されている。この光透過板４０は、ライザ３２の光透過窓３９に嵌合する長円形状の光透過部４１と、この光透過部４１に一体的に形成された一対の取付板部４２とを備えている。取付板部４２には、ネジ孔４３が形成されている。図７に示すように、この光透過部４１は、ライザ３２の内側面（裏側面）から光透過窓３９に光透過部４１を嵌合させて組み付け、ネジ４４によりライザ３２に固定されている。
【００２２】
（エスカレータの作用および動作）
このような構成のエスカレータ１では、以下に説明するような作用および動作を有する。エスカレータ１が稼働している状態において、無端状に連結された多数の踏段３は、上昇又は下降動作を行っている。このとき、トラス２の梁２１に踏段３の移動方向に沿って設けられた一対の蛍光管８のうち一方の連なる蛍光管８の群は、踏段３のライザ３２の幅方向の中心線で分けられる一方側の３つの光透過窓３９の光源として作用する。
【００２３】
ここで、蛍光管８の上方には、上述の散乱板９が配置されているため、蛍光管８から光透過窓３９へ向かう光は、この散乱板９で散乱されて３つの光透過窓３９にほぼ均等な光量の照明光を照射する。このため、３つの光透過窓３９に嵌め込まれた光透過板４０を通過した光は、均等な明るさで目視されるようになっている。なお、このような散乱作用は、トラス２の梁２１に踏段３の移動方向に沿って設けられた一対の蛍光管８のうち他方の連なる蛍光管８の群においても散乱板９が介在されているため同様である。一対の蛍光管８の明るさが同等であれば、ライザ３２に形成された６つの光透過窓３９の明るさは、同等となる。
【００２４】
また、蛍光管８は、踏段３の移動方向に沿って乗降部間に亘って設けられているため、階下から目視した場合に、踏段３のライザ３２の光透過窓３９は常にオレンジ系の色に見えるため、エスカレータ１の踏段３が、上り下りの動作確認を容易に行うことができる。また、通常、踏段３を構成するライザ３２や踏板３１のリブを除く部分の色は、黒であるため、オレンジ系の色の光透過窓３９としたことにより、見やすいという効果と共に意匠的な効果を奏することができる。特に、光透過窓３９の形状をライザ３２の幅方向に長い長円形状としたことにより、光透過窓３９の移動軌跡の領域面積が広くなり、光透過窓３９の視認性を高める作用がある。
【００２５】
（その他の実施の形態）
上述した実施の形態の開示の一部をなす論述および図面はこの発明を限定するものであると理解すべきではない。例えば、上述の実施の形態においては、照明用光源として、蛍光管８を長手方向に連ねて配置したが、点光源を踏段３の移動方向に沿って配置してもよい。この場合、点光源同士の間に散乱板を配置することにより、間欠的に配置された点光源をほぼ均一な光量の線光源として機能させることも可能である。
【００２６】
また、照明用光源としては、蛍光管に限定されるものではなく、発光ダイオード、ＥＬ（エレクトロルミネッセンス）発光素子、冷陰極菅などを適用することも勿論可能である。
【００２７】
上述の実施の形態では、光透過板４０に白色光を照射させるようにしたが、散乱板９に顔料を含有させてカラーフィルタ機能を付与して光透過板４０がカラーフィルタ機能を有しない構成としてもよい。また、光透過窓３９を透過する光の色は、オレンジ系の色に限定されるものではなく、各種の色を採用してもよい。
【００２８】
また、上述の実施の形態では、光透過板４０としてアクリル樹脂製のものを用いたが、光透過性および耐久性を有する材料であれば、これに限定されるものではない。
【００２９】
さらに、光透過窓３９は、ライザ３２の幅方向の中心線の両側に対称となるように配置されればよく、中心線の片側に３つ配置する構成に限定されるものではない。そして、光透過窓３９の形状も幅方向に長い長円形状に限定されるものではない。
【００３０】
上述の実施の形態においては、蛍光管８の上方に散乱板９を配置した構成であるが、散乱板９を介さずに光透過窓３９へ直接照明光を照射させる構成としても勿論よい。
【図面の簡単な説明】
【００３１】
【図１】本発明の実施の形態に係るエスカレータの斜視図。
【図２】本発明の実施の形態に係るエスカレータの側面説明図。
【図３】本発明の実施の形態に係るエスカレータの縦断面説明図。
【図４】本発明の実施の形態に係る踏段の斜視図。
【図５】本発明の実施の形態に係る踏段の正面図。
【図６】本発明の実施の形態に係る踏段の側面図。
【図７】本発明の実施の形態に踏段のライザを切断した状態を示す分解斜視図。
【符号の説明】
【００３２】
１  エスカレータ（マンコンベア）
２  トラス（主枠）
３  踏段
８  蛍光管（光源）
２１  梁
３１  踏板
３２  ライザ
３９  光透過窓
４０  光透過板
【図１】
2006131379.tif 000003
【図２】
2006131379.tif 000004
【図３】
2006131379.tif 000005
【図４】
2006131379.tif 000006
【図５】
2006131379.tif 000007
【図６】
2006131379.tif 000008
【図７】
2006131379.tif 000009